(57)【要約】【課題】電子錠の施錠解錠を行う電子機器を改善すること。【解決手段】管理システム１００は、第１電子機器１と、第２電子機器５０と、を有する。第１電子機器１は、電子錠の施錠解錠を行う施解錠機能と、電子マネーによる決済を行う決済機能と、を有する。第２電子機器５０は、第１電子機器１が行った決済に関する第１情報Ｄ３と、第１電子機器１が行った電子錠の施錠解錠に関する第２情報Ｄ６と、を取得する。【選択図】図１
2019128835.tif 000002
【特許請求の範囲】
【請求項１】
第１電子機器と、第２電子機器と、を有する管理システムであって、
前記第１電子機器は、
電子錠の施錠解錠を行う施解錠機能と、
電子マネーによる決済を行う決済機能と、を有し、
前記第２電子機器は、
前記第１電子機器が行った前記決済に関する第１情報と、
前記第１電子機器が行った前記施錠解錠に関する第２情報と、を取得する、
管理システム。
【請求項２】
前記第２電子機器は、第１表示部を有し、
前記第１情報および前記第２情報を時系列順に並べて、前記第１表示部に表示する、
請求項１に記載の管理システム。
【請求項３】
前記第１電子機器を用いた前記決済または前記施錠解錠が行われたとき、
前記第２電子機器は、前記第１情報および前記第２情報を取得する、
請求項１または２に記載の管理システム。
【請求項４】
前記第２電子機器は、
前記第１電子機器による前記電子錠の施錠が行われた第１時刻と、
前記第１時刻の後に前記第１電子機器による前記電子錠の解錠が行われた第２時刻との間の決済履歴を含む第３情報を取得する、
請求項１から３のいずれか１項に記載の管理システム。
【請求項５】
前記第２電子機器は、
前記第１電子機器による前記電子錠の解錠が行われたとき、前記第３情報を取得する、
請求項４に記載の管理システム。
【請求項６】
前記管理システムは、
前記電子錠の施錠解錠を実行する第３電子機器をさらに有し、
前記第１電子機器は、
チャージされた電子マネーの残額を表示する第２表示部をさらに有し、
前記第３電子機器に接近したとき、前記第２表示部の表示を第１画像に変更する、
請求項１から５のいずれか１項に記載の管理システム。
【請求項７】
前記第１電子機器は、
操作部をさらに有し、
前記第２表示部が前記第１画像を表示している状態で、前記操作部が第１操作を受けたとき、前記施錠解錠を行う、
請求項６に記載の管理システム。
【請求項８】
前記第１電子機器は、
前記第３電子機器との通信時、前記残額を更新する、
請求項６または７に記載の管理システム。
【請求項９】
前記電子錠により施錠される領域にある第４電子機器が第１条件を満たした場合、
前記第１電子機器が使用可能な電子マネーの増減が行われる、
請求項８に記載の管理システム。
【請求項１０】
前記第１電子機器が前記第３電子機器との通信時、前記増減が実行される、
請求項９に記載の管理システム。
【請求項１１】
前記第２電子機器が第２操作を受けたとき、
前記第１電子機器は、前記決済機能および前記施解錠機能が実行不可になる、
請求項１から１０のいずれか１項に記載の管理システム。
【請求項１２】
前記第２情報に基づき、
前記第１電子機器の使用者が所定の領域に居ることを、前記第２電子機器は前記第１表示部に表示する、
請求項２に記載の管理システム。
【請求項１３】
前記第１情報に基づき、
前記第１電子機器の使用者が所定の領域に居ないことを、前記第２電子機器は前記第１表示部に表示する、
請求項２に記載の管理システム。
【請求項１４】
第１電子機器と、第２電子機器と、を有する管理システムであって、
前記第１電子機器は、
電子錠の施錠解錠を行う施解錠機能と、
電子マネーをチャージするＩＣカードが取り付けられたとき、当該ＩＣカードにチャージされた電子マネーの残額を読み取る読取機能と、を有し、
前記第２電子機器は、
前記第１電子機器が行った前記電子マネーによる決済に関する第１情報と、
前記第１電子機器が行った前記施錠解錠に関する第２情報と、を取得する、
管理システム。
【請求項１５】
電子錠の施錠解錠を行う施解錠機能と、
電子マネーによる決済を行う決済機能と、を有する、
第１電子機器。
【請求項１６】
第１電子機器が行った電子マネーによる決済に関する第１情報と、
前記第１電子機器が行った電子錠の施錠解錠に関する第２情報と、を取得する、
第２電子機器。
【請求項１７】
第２電子機器に、
第１電子機器が行った電子マネーによる決済に関する第１情報と、
前記第１電子機器が行った電子錠の施錠解錠に関する第２情報と、を取得させる処理を実行させるプログラム。
【請求項１８】
第１電子機器と、第２電子機器と、を有する管理システムの管理方法であって、
前記第１電子機器が電子錠の施錠解錠を行うステップと、
前記第１電子機器が電子マネーによる決済を行うステップと、
前記第２電子機器が前記第１電子機器によって行われた前記決済に関する第１情報と、前記第１電子機器によって行われた前記施錠解錠に関する第２情報とを取得するステップと、
を含む管理方法。
【請求項１９】
第１電子機器と、第２電子機器と、を管理する管理サーバであって、
前記第１電子機器が行った電子錠の施錠解錠と前記第１電子機器が行った決済とを管理する管理部と、
前記第１電子機器が行った前記決済に関する第１情報と、前記第１電子機器が行った前記施錠解錠に関する第２情報とを、前記第２電子機器に提供する提供部と、
を有する管理サーバ。
【発明の詳細な説明】
【技術分野】
【０００１】
本出願は、管理システム、第１電子機器、第２電子機器、プログラム、管理方法、及び管理サーバに関する。
【背景技術】
【０００２】
従来、携帯電話等の電子機器には、電子錠の施錠解錠を行う電子機器がある（特許文献１参照）。
【先行技術文献】
【特許文献】
【０００３】
【特許文献１】特開２０１７−１４７３６号公報
【発明の概要】
【発明が解決しようとする課題】
【０００４】
従来の電子錠の施錠解錠を行う電子機器には、改善の余地があった。
【課題を解決するための手段】
【０００５】
態様の１つに係る管理システムは、第１電子機器と、第２電子機器と、を有する管理システムであって、前記第１電子機器は、電子錠の施錠解錠を行う施解錠機能と、電子マネーによる決済を行う決済機能と、を有し、前記第２電子機器は、前記第１電子機器が行った前記決済に関する第１情報と、前記第１電子機器が行った前記施錠解錠に関する第２情報と、を取得する。
【０００６】
態様の１つに係る第１電子機器は、電子錠の施錠解錠を行う施解錠機能と、電子マネーによる決済を行う決済機能と、を有する。
【０００７】
態様の１つに係る第２電子機器は、第１電子機器が行った電子マネーによる決済に関する第１情報と、前記第１電子機器が行った電子錠の施錠解錠に関する第２情報と、を取得する。
【０００８】
態様の１つに係るプログラムは、第２電子機器に、第１電子機器が行った電子マネーによる決済に関する第１情報と、前記第１電子機器が行った電子錠の施錠解錠に関する第２情報と、を取得させる処理を実行させる。
【０００９】
態様の１つに係る管理方法は、第１電子機器と、第２電子機器と、を有する管理システムの管理方法であって、前記第１電子機器が電子錠の施錠解錠を行うステップと、前記第１電子機器が電子マネーによる決済を行うステップと、前記第２電子機器が前記第１電子機器によって行われた前記決済に関する第１情報と、前記第１電子機器によって行われた前記施錠解錠に関する第２情報とを取得するステップと、を含む。
【００１０】
態様の１つに係る管理サーバは、第１電子機器と、第２電子機器と、を管理する管理サーバであって、前記第１電子機器が行った電子錠の施錠解錠と前記第１電子機器が行った決済とを管理する管理部と、前記第１電子機器が行った前記決済に関する第１情報と、前記第１電子機器が行った前記施錠解錠に関する第２情報とを、前記第２電子機器に提供する提供部と、を有する。
【図面の簡単な説明】
【００１１】
【図１】図１は、実施形態に係る管理システムの一例を示す図である。
【図２】図２は、実施形態に係る管理システムの動作の一例を示す図である。
【図３】図３は、実施形態に係る第１電子機器の一例を示すブロック図である。
【図４】図４は、実施形態に係る第２電子機器の一例を示すブロック図である。
【図５】図５は、実施形態に係る管理サーバの一例を示すブロック図である。
【図６】図６は、実施形態に係る電子錠ユニットの一例を示すブロック図である。
【図７】図７は、第１電子機器による制御の一例の処理手順を示すフローチャートである。
【図８】図８は、第２電子機器による制御の一例の処理手順を示すフローチャートである。
【図９】図９は、管理サーバによる制御の一例の処理手順を示すフローチャートである。
【図１０】図１０は、実施形態に係る管理システムの他の一例を示す図である。
【図１１】図１１は、実施形態に係る管理システムの動作の他の一例を示す図である。
【図１２】図１２は、第２電子機器による制御の一例の処理手順を示すフローチャートである。
【図１３】図１３は、管理サーバによる制御の一例の処理手順を示すフローチャートである。
【図１４】図１４は、実施形態に係る管理システムの他の一例を示す図である。
【図１５】図１５は、実施形態に係る管理システムの他の一例を示す図である。
【図１６】図１６は、第１電子機器の他の一例を示す正面図である。
【図１７】図１７は、第１電子機器の他の一例を示す側面図である。
【図１８】図１８は、第１電子機器の他の一例を示す側面図である。
【発明を実施するための形態】
【００１２】
本出願に係る管理システム等を実施するための複数の実施形態を、図面を参照しつつ詳細に説明する。以下では、児童が携帯する第１電子機器と、当該児童の親が携帯する第２電子機器とを管理する管理システムの一例について説明する。
【００１３】
図１は、実施形態に係る管理システムの一例を示す図である。図１に示すように、管理システム１００は、第１電子機器１と、第２電子機器５０と、管理サーバ８０とを有する。第２電子機器５０と管理サーバ８０とは、通信ネットワーク７０を介して相互に通信できる。通信ネットワーク７０は、有線または無線のネットワークを含む。第２電子機器５０は、近距離無線通信を介して、他の電子機器と通信できる。
【００１４】
第１電子機器１は、例えば、児童が携帯可能な携帯電子機器である。第１電子機器１は、筐体の上部にストラップ１ａが設けられている。ストラップ１ａは、第１電子機器１をユーザに装着する部材である。
【００１５】
第２電子機器５０は、例えば、第１電子機器１を管理する機能を有する。第２電子機器５０は、例えば、モバイルフォン、スマートフォン、スマートウォッチ、携帯型パソコン、ヘッドマウントディスプレイ、デジタルカメラ、メディアプレイヤ、電子書籍リーダ、ナビゲータ、及びゲーム機を含む。
【００１６】
管理サーバ８０は、例えば、第１電子機器１及び第２電子機器５０に情報を提供できる。管理サーバ８０は、例えば、第１電子機器１の児童による利用に関する情報を第２電子機器５０に提供できる。管理サーバ８０は、例えば、電子錠ユニット９０及び電子決済装置２００と通信ネットワーク７０を介して通信できる。管理サーバ８０は、例えば、家族内に限定されたコミュニケーションサービスを、第１電子機器１及び第２電子機器５０のユーザに提供できる。
【００１７】
管理システム１００は、電子錠ユニット９０をさらに有してもよい。電子錠ユニット９０は、例えば、第１電子機器１及び第２電子機器５０を所有するユーザの住居のドアに設けられる。電子錠ユニット９０は、第１電子機器１または第２電子機器５０から電子錠ＩＤを含む施錠情報を受信し、電子錠ＩＤが登録されている場合に施錠動作を行う。電子錠ユニット９０は、第１電子機器１または第２電子機器５０から電子錠ＩＤを含む解錠情報を受信し、電子錠ＩＤが登録されている場合に解錠動作を行う。
【００１８】
電子決済装置２００は、例えば、電子マネーを活用した決済サービスを提供できる。決済は、例えば、電子マネーまたはポイントの支払い、チャージ等を含む。電子決済装置２００は、例えば、決済端末を含む。電子決済装置２００は、例えば、店舗、駅、住居等に設けられる。電子決済装置２００は、例えば、第１電子機器１及び第２電子機器５０に対してチャージされた電子マネーを利用し、購入した商品の支払いを行う機能を提供できる。電子マネーは、例えば、非接触ＩＣ（Ｉｎｔｅｇｒａｔｅｄ  Ｃｉｒｃｕｉｔ）カード等の記憶媒体に記憶された電子マネー、サーバ型の電子マネー等を含む。サーバ型の電子マネーは、例えば、金銭的な価値を示す情報を含む。
【００１９】
第１電子機器１及び第２電子機器５０は、例えば、電子錠ユニット９０及び電子決済装置２００にかざされた場合に、近距離無線通信を介して通信できる。第１電子機器１及び第２電子機器５０は、電子錠ユニット９０にかざされた場合、電子錠ユニット９０の施錠または解錠を電子錠ユニット９０に指示する。第１電子機器１及び第２電子機器５０は、電子決済装置２００にかざされた場合、チャージ（入金）されている電子マネーを用いて決済を行う。
【００２０】
第２電子機器５０は、第１電子機器１で利用可能な電子マネーを第１電子機器１にチャージする機能を提供できる。電子マネーは、決済サービスの利用により、利用額に応じて付与されるポイント等であってもよい。例えば、第２電子機器５０は、アプリケーションを実行することにより、所定の金額のチャージを第１電子機器１の電子マネーの残額に加算させる。第１電子機器１は、第２電子機器５０によってチャージされた電子マネーを用いて電子決済装置２００との間で決済を行う機能を提供できる。第２電子機器５０は、近距離無線通信を介して、第２電子機器５０に電子マネーをチャージしてもよい。第１電子機器１は、第２電子機器５０によってチャージされた電子マネーのみで決済できるようにしてもよい。管理サーバ８０は、電子決済装置２００で決済が行われた場合、第１電子機器１による決済の金額と電子マネーの残額を管理する機能を提供できる。
【００２１】
図１及び図２を参照しながら、実施形態に係る管理システム１００について説明する。図２は、実施形態に係る管理システム１００の動作の一例を示す図である。図１及び図２に示す一例では、第２電子機器５０は、６０円分の電子マネーを第１電子機器１にチャージするためのチャージ情報Ｄ１を管理サーバ８０に送信している。管理サーバ８０は、第１電子機器１の電子マネーの残額が６０円であることを管理している。第１電子機器１は、所定のタイミングで電子マネーの残額を示す情報を受信し、当該残額を表示部２に表示する。所定のタイミングは、例えば、電子錠ユニット９０の施錠または解錠を行ったタイミング、電子決済装置２００にかざされたタイミング、ユーザの所定の操作を検出したタイミング等を含む。第１電子機器１は、電子マネーが第２電子機器５０によってチャージされたことを検出した場合、当該チャージを通知する効果音、音声等を出力してもよい。
【００２２】
図２のステップＳ１に示す一例では、第１電子機器１は、表示部２に電子マネーの残額である６０円を表示している。６０円は、時刻１４：５０に６０円がチャージされたあとの残額である。第１電子機器１のユーザは、店舗において、時刻１５：００に、３２円のお菓子の支払いを第１電子機器１で行っている。第１電子機器１は、電子決済装置２００にかざされると、識別情報Ｄ２を電子決済装置２００に送信する。電子決済装置２００は、当該識別情報Ｄ２に基づいて、第１電子機器１の電子マネーの残額を第１電子機器１または管理サーバ８０から取得する。電子決済装置２００は、第１電子機器１の電子マネーの残額から商品の購入額を減算する。電子決済装置２００は、第１電子機器１による購入額と電子マネーの残額とを含む第１情報Ｄ３を管理サーバ８０に送信する。電子決済装置２００は、電子マネーの残額を示す残額情報Ｄ４を第１電子機器１に送信する。第１電子機器１は、電子決済装置２００から受信した残額情報Ｄ４を表示部２に表示する。
【００２３】
図１及び図２に示す一例では、電子錠ユニット９０は、第１電子機器１及び第２電子機器５０を電子キーとして用いることが可能な構成となっている。第１電子機器１のユーザは、時刻１５：３０に、買い物が終了して帰宅すると、図２のステップＳ２に示すように、第１電子機器１を電子錠ユニット９０にかざす。第１電子機器１は、電子錠ユニット９０にかざされると、表示部２の残額の画像Ｐ１を、画像Ｐ２に変更する。画像Ｐ２は、例えば、電子錠の解錠を示す画像である。画像Ｐ２は、第１画像の一例である。
【００２４】
第１電子機器１のユーザは、表示部２に表示された画像Ｐ２を参照すると、所定の操作を行う。所定の操作は、例えば、操作部に対する予め定められた操作、ジェスチャを含む。所定の操作は、第１操作の一例である。第１電子機器１は、第１操作の検出に応じて、電子錠ＩＤを含む解錠情報Ｄ５を電子錠ユニット９０に送信する。電子錠ユニット９０は、受信した解錠情報の電子錠ＩＤと予め記憶している電子錠ＩＤとが一致すると、解錠動作を行う。電子錠ユニット９０は、第１電子機器１によって解錠されたことを示す第２情報Ｄ６を管理サーバ８０に送信する。第２情報Ｄ６は、例えば、第１電子機器１及び第１電子機器１が使用する電子マネーを識別可能な情報を含む。
【００２５】
管理サーバ８０は、受信した第２情報Ｄ６を、第１電子機器１に対応する第１情報Ｄ３と紐付けて、時系列順に記憶する。管理サーバ８０は、電子錠ユニット９０から第２情報Ｄ６を受信すると、第１電子機器１に紐付けられた第２電子機器５０に、第１情報Ｄ３及び第２情報Ｄ６を送信する。
【００２６】
第２電子機器５０は、受信した第１情報Ｄ３及び第２情報Ｄ６を、図２のステップＳ３に示すように、時系列順に並べて表示する画面Ｇ１を表示部２Ａに表示する。画面Ｇ１は、第１電子機器１を所持するユーザの決済及び施錠解錠の履歴を示す画面である。画面Ｇ１は、チャージと無効化とを第２電子機器５０のユーザに操作させるための領域を含む。画面Ｇ１は、第１情報Ｄ３に基づくメッセージＧ１１と、第２情報Ｄ６に基づくメッセージＧ１２とを含む。メッセージＧ１１は、例えば、買い物をした商品及び金額と、電子マネーの残額とを含む。メッセージＧ１２は、第１電子機器１を所持しているユーザが家に帰ったことを示す情報を含む。
【００２７】
第２電子機器５０は、第２情報Ｄ６に基づいて、第１電子機器１を所持しているユーザが住居（所定の領域）に居ることを示すメッセージＧ１２を表示部２Ａに表示している。その結果、第２電子機器５０のユーザは、メッセージＧ１２を参照することで、第１電子機器１のユーザが所定の領域に居ることを確認することができる。
【００２８】
本実施形態では、所定の領域は、ユーザの住居であるが、これに限定されない。例えば、所定の領域は、ユーザが施錠解錠を行う建築物であってもよい。
【００２９】
第２電子機器５０は、第１情報Ｄ３に基づいて、第１電子機器１を所持しているユーザが所定の領域に居なかったことを示すメッセージＧ１１を表示部２Ａに表示している。その結果、第２電子機器５０のユーザは、メッセージＧ１１を参照することで、第１電子機器１のユーザが所定の領域に居なかったことを確認することができる。
【００３０】
管理システム１００は、第１電子機器１が行った決済に関する第１情報Ｄ３と施錠解錠に関する第２情報Ｄ６を、第２電子機器５０が取得することができる。その結果、管理システム１００は、第１電子機器１による決済及び施錠解錠を第２電子機器５０で確認させることができるので、第１電子機器１の施錠解錠を利用して、第１電子機器１を所持するユーザの行動管理を改善することができる。
【００３１】
管理システム１００は、第２電子機器５０が受信した第１情報Ｄ３及び第２情報Ｄ６を時系列順に表示することで、第１電子機器１の電子マネーの残額の変化とユーザの行動履歴とを容易に把握させることができる。
【００３２】
管理システム１００は、第１電子機器１によって電子錠ユニット９０の解錠が行われたタイミングで、第２電子機器５０が管理サーバ８０から第１情報Ｄ３及び第２情報Ｄ６を取得できる。その結果、管理システム１００は、第２電子機器５０が第１電子機器１の電子マネーの残額を確認する処理を不要とすることができる。第２電子機器５０は、第１電子機器１から電子マネーの残額に関する情報を取得する必要がないため、第１電子機器１の構成を簡単化させることができる。第２電子機器５０のユーザは、第１電子機器１の電子マネーの残額を確認する必要がなくなり、利便性が向上する。
【００３３】
第２電子機器５０は、取得した第１情報Ｄ３及び第２情報Ｄ６を、第１電子機器１によって電子錠ユニット９０を解錠したタイミングで通知することができる。電子錠ユニット９０を解錠したタイミングは、例えば、第１電子機器１を所持するユーザが帰宅したタイミングである。第２電子機器５０のユーザは、メッセージＧ１１，Ｇ１２を参照することで、第１電子機器１のユーザが電子錠ユニット９０を解錠したタイミングで、帰宅したことと、外出中に使用した電子マネーの金額及び残額とを確認することができる。
【００３４】
ステップＳ３に示す一例では、第２電子機器５０が表示する画面Ｇ１は、チャージ情報Ｄ１に基づくメッセージＧ１０をさらに含む。メッセージＧ１０は、６０円をチャージしたことを示す情報を含む。第２電子機器５０は、例えば、チャージした時刻（日付）及びチャージした金額を、取得した第１情報Ｄ３及び第２情報Ｄ６とともに表示することで、第１電子機器１における電子マネーの残額の変化を把握させることができる。
【００３５】
図３から図５を参照しながら、図１及び図２に示した第１電子機器１、第２電子機器５０、及び管理サーバ８０の構成の一例について説明する。以下の説明においては、同様の構成要素に同一の符号を付すことがある。さらに、重複する説明は省略することがある。
【００３６】
図３は、実施形態に係る第１電子機器１の一例を示すブロック図である。図３に示すように、第１電子機器１は、表示部２と、操作部３と、通信部６と、記憶部９と、制御部１０と、スピーカ１１とを有する。
【００３７】
表示部２は、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）、電子ペーパ、ポリマーネットワーク液晶等の表示パネルを有する。電子ペーパは、例えば、電気泳動方式、コレステリック液晶等の電子ペーパを含む。表示部２は、制御部１０から入力される信号に応じて、文字、図形、画像等の情報を表示する。表示部２が表示する情報には、報知のための画面、アイコン等が含まれる。
【００３８】
操作部３は、ユーザの操作を受け付けるための１ないし複数のデバイスを有する。ユーザの操作を受け付けるためのデバイスは、例えば、キー、ボタン、タッチスクリーン等を含む。操作部３は、受け付けた操作に応じた信号を制御部１０へ入力する。
【００３９】
通信部６は、近距離無線通信方式で通信を行う通信部である。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等が含まれる。通信部６は、複数の近距離無線通信方式をサポートしてもよい。通信部６は、ＮＦＣチップを含んでもよい。
【００４０】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４１】
記憶部９は、例えば、制御プログラム９Ａ、残額データ９Ｂ及び設定データ９Ｃを記憶できる。制御プログラム９Ａは、第１電子機器１を稼働させるための各種制御に関する機能を提供できる。残額データ９Ｂは、電子マネーの残額に関する情報を含む。設定データ９Ｃは、第１電子機器１の動作に関する各種の設定に関する情報を含む。
【００４２】
制御プログラム９Ａは、例えば、通信部６等を制御することによって、近距離無線通信を実現させる。制御プログラム９Ａが提供する機能には、操作部３を介して検出されたジェスチャに応じて、表示部２に表示されている情報を変更する等の各種制御を行う機能が含まれる。制御プログラム９Ａは、電子錠の施錠解錠を行う施解錠部１０Ａとして制御部１０を機能させるプログラムを含む。制御プログラム９Ａが提供する機能には、電子錠ユニット９０の施錠解錠を行う施解錠機能が含まれる。第１電子機器１が施錠解錠を行うとは、例えば、第１電子機器１が電子錠ユニット９０に電子錠の施錠解錠を要求することを含む。
【００４３】
制御部１０は、制御プログラム９Ａを実行することによって、電子錠ユニット９０にかざされた場合、表示部２に画像Ｐ２を表示する。制御部１０は、制御プログラム９Ａを実行することによって、表示部２に画像Ｐ２を表示している場合に、操作部３によって第１操作を受けると、電子錠ユニット９０の施錠または解錠を実行する。
【００４４】
制御プログラム９Ａは、電子マネーによる決済を行う決済部１０Ｂとして制御部１０を機能させるプログラムを含む。制御プログラム９Ａが提供する機能には、電子マネーによる決済を行う決済機能が含まれる。制御プログラム９Ａが提供する機能には、第２電子機器５０によってチャージされた電子マネーによる決済を行う機能が含まれる。制御プログラム９Ａが提供する機能には、通信部６を介して、他の電子機器から電子マネーの残額に関する情報を受信する機能が含まれる。制御プログラム９Ａが提供する機能には、例えば、電子決済装置２００のリーダ／ライタ、ＩＣタグ等にかざされた場合に、当該リーダ／ライタ、ＩＣタグ等に含まれるＩＣチップと通信する機能が含まれる。制御部１０は、制御プログラム９Ａを実行することによって、第２電子機器５０によってチャージされた電子マネーによる決済を実行する。
【００４５】
残額データ９Ｂは、他の電子機器から受信した電子マネーの残額が設定される。他の電子機器は、例えば、電子錠ユニット９０、電子決済装置２００等を含む。
【００４６】
設定データ９Ｃは、例えば、電子錠ユニット９０の電子錠ＩＤを設定できる。設定データ９Ｃは、例えば、電子マネーの識別情報Ｄ２を設定できる。
【００４７】
制御部１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部１０は、第１電子機器１の動作を統括的に制御できる。制御部１０の各種機能は、制御部１０の制御に基づいて実現される。
【００４８】
具体的には、制御部１０は、記憶部９に記憶されているデータを必要に応じて参照しつつ、記憶部９に記憶されているプログラムに含まれる命令を実行する。制御部１０は、データ及び命令に応じて機能部を制御し、それによって各種機能を実現する。機能部は、例えば、表示部２、通信部６、及びスピーカ１１を含むが、これらに限定されない。制御部１０は、検出部の検出結果に応じて、制御を変更することがある。検出部は、例えば、操作部３及び通信部６を含むが、これらに限定されない。
【００４９】
制御部１０は、施解錠部１０Ａ及び決済部１０Ｂを含む。制御部１０は、制御プログラム９Ａを実行することによって、施解錠部１０Ａ及び決済部１０Ｂを実現する。施解錠部１０Ａは、電子錠の施錠解錠を行う機能を実現する。決済部１０Ｂは、電子マネーによる決済を行う機能を実現する。
【００５０】
スピーカ１１は、音出力部である。スピーカ１１は、制御部１０から入力される音信号を音として出力する。制御部１０は、第２電子機器５０によって電子マネーがチャージされた場合、例えば、チャリーンという効果音、音声等をスピーカ１１から出力させる。
【００５１】
図３に示した第１電子機器１の構成は一例であり、本発明の要旨を損なわない範囲において適宜変更してよい。例えば、表示機能が不要である場合、第１電子機器１は、ＮＦＣチップで実現してもよい。この場合、ＮＦＣチップである第１電子機器１は、他機のリーダ／ライタと通信を行うことで、記憶領域に記憶している情報を他機のリーダ／ライタに送信したり、他機のリーダ／ライタから送られた情報を受信したりする。第１電子機器１は、他機のリーダ／ライタと通信して、決済処理、個体識別の処理を行い、記憶されている情報の更新や、使用又はチャージに応じた残額の書き換えを行う。
【００５２】
また、図３において示していない構成要素を第１電子機器１は有していてもよい。例えば、第１電子機器１は、加速度センサ等を有していてもよい。当該第１電子機器１は、自機が振られたことを加速度センサによって検知したとき、複数の硬貨が衝突することで発生する金属音等を再現する効果音等をスピーカ１１から出力してもよい。効果音は、例えば残額の大きさに応じて変化してもよい。
【００５３】
図４は、実施形態に係る第２電子機器５０の一例を示すブロック図である。図４に示すように、第２電子機器５０は、表示部２Ａと、操作部３と、通信部６Ａと、レシーバ７と、マイク８と、記憶部９と、制御部５１と、スピーカ１１と、振動部１５と、ランプ１６とを有する。
【００５４】
表示部２Ａは、液晶ディスプレイ、有機ＥＬディスプレイ等の表示パネルを有する。表示部２Ａは、制御部５１から入力される信号に応じて、文字、図形、画像等の情報を表示する。表示部２Ａが表示する情報には、報知のための画面、アイコン等が含まれる。
【００５５】
通信部６Ａは、無線により通信する。通信部６Ａによってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（登録商標）（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。通信部６Ａは、上述した通信規格の１つ又は複数をサポートしていてもよい。
【００５６】
レシーバ７は、音出力部である。レシーバ７は、制御部５１から入力される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、ユーザの音声等を音信号へ変換して制御部５１へ入力する。
【００５７】
記憶部９は、例えば、制御プログラム９Ｆ、決済アプリケーション９Ｇ、及び設定データ９Ｈを記憶できる。決済アプリケーション９Ｇは、電子マネーによる支払い、電子マネーの残額確認及びチャージ等のための決済機能を提供できる。設定データ９Ｈは、第２電子機器５０の動作に関する各種の設定に関する情報を含む。
【００５８】
制御プログラム９Ｆは、第２電子機器５０を稼働させるための各種制御に関する機能を提供できる。制御プログラム９Ｆは、例えば、通信部６Ａ等を制御することによって、通信を実現させる。制御プログラム９Ｆが提供する機能には、操作部３を介して検出されたジェスチャに応じて、表示部２に表示されている情報を変更する等の各種制御を行う機能が含まれる。制御プログラム９Ｆが提供する機能には、他の電子機器から情報を受信して、当該情報を表示部２に逐次表示する機能が含まれる。他の電子機器は、例えば、管理サーバ８０、第１電子機器１、電子錠ユニット９０等を含む。制御プログラム９Ｆが提供する機能には、例えば、第１電子機器１が行った電子マネーによる決済に関する第１情報Ｄ３を取得する機能が含まれる。制御プログラム９Ｆが提供する機能には、第１電子機器１が行った電子錠の施錠解錠に関する第２情報Ｄ６を取得する機能が含まれる。制御プログラム９Ｆが提供する機能は、他のプログラムが提供する機能と組み合わせて利用されることがある。
【００５９】
制御部５１は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部５１は、第１電子機器１の動作を統括的に制御できる。制御部５１の各種機能は、制御部５１の制御に基づいて実現される。
【００６０】
具体的には、制御部５１は、記憶部９に記憶されているデータを必要に応じて参照しつつ、記憶部９に記憶されているプログラムに含まれる命令を実行する。制御部５１は、データ及び命令に応じて機能部を制御し、それによって各種機能を実現する。機能部は、例えば、表示部２、通信部６Ａ、レシーバ７、マイク８及びスピーカ１１を含むが、これらに限定されない。制御部１０は、検出部の検出結果に応じて、制御を変更することがある。検出部は、例えば、操作部３及び通信部６を含むが、これらに限定されない。
【００６１】
制御部５１は、制御プログラム９Ｆを実行することによって、第１電子機器１に関する第１情報Ｄ３及び第２情報Ｄ６を取得できる。制御部５１は、制御プログラム９Ｆを実行することによって、取得した情報を時系列順に並べて表示部２に表示できる。
【００６２】
振動部１５は、第２電子機器５０を振動させる。振動部１５は、第２電子機器５０を振動させるために、例えば、圧電素子、又は偏心モータを用いる。ランプ１６は、設定された色及びパターンで発光する。ランプ１６は、ＬＥＤ（Ｌｉｇｈｔ  Ｅｍｉｔｔｉｎｇ  Ｄｉｏｄｅ）等の光源を有する。表示部２、スピーカ１１、振動部１５及びランプ１６は、電話の着信、メッセージ及びメールの受信、第１情報Ｄ３及び第２情報Ｄ６の受信等をユーザに報知するために用いられる。
【００６３】
図４に示した第２電子機器５０の構成は一例であり、本発明の要旨を損なわない範囲において適宜変更してよい。例えば、第２電子機器５０は、ＧＰＳ受信機を備えてもよい。第２電子機器５０は、ＧＰＳ受信機より取得する信号に基づいて、自機の位置情報を検出してもよい。
【００６４】
図５は、実施形態に係る管理サーバ８０の一例を示すブロック図である。図５に示すように、管理サーバ８０は、通信部６Ａと、記憶部８４と、制御部８５とを有する。
【００６５】
記憶部８４は、プログラム及びデータを記憶できる。記憶部８４は、制御部８５の処理結果を一時的に記憶する作業領域としても利用される。記憶部８４は、半導体記憶媒体、及び磁気記憶媒体等の任意の非一過的（ｎｏｎ−ｔｒａｎｓｉｔｏｒｙ）な記憶媒体を含んでよい。記憶部８４は、複数の種類の記憶媒体を含んでよい。記憶部８４は、メモリカード、光ディスク、又は光磁気ディスク等の可搬の記憶媒体と、記憶媒体の読み取り装置との組み合わせを含んでよい。記憶部８４は、ＲＡＭ（Ｒａｎｄｏｍ  Ａｃｃｅｓｓ  Ｍｅｍｏｒｙ）等の一時的な記憶領域として利用される記憶デバイスを含んでよい。
【００６６】
記憶部８４は、例えば、制御プログラム８４ａ、設定データ８４ｂ、第１情報Ｄ３及び第２情報Ｄ６を記憶できる。
【００６７】
制御プログラム８４ａは、管理サーバ８０を稼動させるための各種制御に関する機能を提供できる。制御プログラム８４ａは、例えば、通信部６Ａを制御することによって、外部の電子機器との通信を実現させる。制御プログラム８４ａは、第１電子機器１が行った電子錠の施錠解錠と第１電子機器１が行った決済とを管理する管理部８５ａとして制御部８５を機能させるプログラムを含む。制御プログラム８４ａは、第１電子機器１が行った決済に関する第１情報Ｄ３と、第１電子機器１が行った施錠解錠に関する第２情報Ｄ６とを、第２電子機器５０に提供する提供部８５ｂとして機能させるプログラムを含む。制御プログラム８４ａは、第１電子機器１で利用可能な電子マネーの残額データを所定の電子機器に提供する機能を提供できる。本実施形態では、所定の電子機器は、第１電子機器１及び第２電子機器５０が利用する電子錠ユニット９０、電子決済装置２００等を含む。
【００６８】
設定データ８４ｂは、管理サーバ８０の動作に関する各種の設定に関する情報を含む。設定データ８４ｂは、例えば、第１電子機器１及び第２電子機器５０を紐付けるための情報を含む。
【００６９】
記憶部８４は、第１情報Ｄ３及び第２情報Ｄ６を第１電子機器１及び第２電子機器５０に紐付けて記憶できる。記憶部８４は、第１電子機器１及び第２電子機器５０を時系列順に記憶できる。
【００７０】
制御部８５は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部８５は、管理サーバ８０の動作を統括的に制御できる。制御部８５の各種機能は、制御部８５の制御に基づいて実現される。
【００７１】
具体的には、制御部８５は、記憶部８４に記憶されているプログラムに含まれる命令を実行できる。制御部８５は、記憶部８４に記憶されているデータを必要に応じて参照できる。制御部８５は、データ及び命令に応じて機能部を制御する。制御部８５は、機能部を制御することによって、各種機能を実現する。機能部は、例えば、通信部６Ａを含むが、これらに限定されない。
【００７２】
制御部８５は、管理サーバ８０の管理部８５ａ及び提供部８５ｂを含む。制御部８５は、制御プログラム８４ａを実行することによって、管理部８５ａ及び提供部８５ｂを実現する。管理部８５ａは、第１電子機器１による電子錠の施錠解錠と第１電子機器１による決済を管理する。提供部８５ｂは、第１電子機器１が行った決済に関する第１情報Ｄ３と、第１電子機器１が行った施錠解錠に関する第２情報Ｄ６とを、第２電子機器５０に提供する。
【００７３】
本実施形態では、管理サーバ８０が管理部８５ａ及び提供部８５ｂを有する場合について説明するが、これに限定されない。例えば、管理部８５ａ及び提供部８５ｂは、電子マネーによる決済を行うサーバで実現してもよい。
【００７４】
図６は、実施形態に係る電子錠ユニット９０の一例を示すブロック図である。図６に示すように、電子錠ユニット９０は、通信部９１と、電子錠９２と、記憶部９３と、制御部９５とを有する。
【００７５】
通信部９１は、近距離無線通信方式で通信を行う通信部である。近距離無線通信方式には、Ｂｌｕｅｔｏｏｔｈ（登録商標）、無線ＬＡＮ（ＩＥＥＥ８０２．１１）、ＺｉｇＢｅｅ（登録商標）、赤外線通信、可視光通信、ＮＦＣ（Ｎｅａｒ  Ｆｉｅｌｄ  Ｃｏｍｍｕｎｉｃａｔｉｏｎ）等が含まれる。通信部９１は、複数の近距離無線通信方式をサポートしてもよい。通信部９１は、リーダ／ライタを含んでもよい。
【００７６】
電子錠９２は、住居のドアの内部に設けられている。電子錠９２は、例えば、金属製のデッドボルトを有する。電子錠９２は、デッドボルトがドア内に突出した場合、ドアの開閉を不能とする。電子錠９２は、デッドボルトがドアから退避した場合、ドアの開閉を可能とする。電子錠９２は、制御部９５からの施錠信号に応じて、デッドボルトを突出させることで、ドアの施錠を行う。電子錠９２は、制御部９５からの解錠信号に応じて、デッドボルトを退避させることで、ドアの解錠を行う。
【００７７】
記憶部９３は、プログラム及びデータを記憶できる。記憶部９３は、制御部９５の処理結果を一時的に記憶する作業領域としても利用される。記憶部９３は、半導体記憶媒体、及び磁気記憶媒体等の任意の非一過的（ｎｏｎ−ｔｒａｎｓｉｔｏｒｙ）な記憶媒体を含んでよい。記憶部８４は、複数の種類の記憶媒体を含んでよい。記憶部９３は、メモリカード、光ディスク、又は光磁気ディスク等の可搬の記憶媒体と、記憶媒体の読み取り装置との組み合わせを含んでよい。記憶部９３は、ＲＡＭ（Ｒａｎｄｏｍ  Ａｃｃｅｓｓ  Ｍｅｍｏｒｙ）等の一時的な記憶領域として利用される記憶デバイスを含んでよい。
【００７８】
記憶部９３は、例えば、制御プログラム９３ａ及び電子錠データ９３ｂを記憶できる。制御プログラム９３ａは、例えば、電子錠９２の駆動装置を駆動して、電子錠９２のデットボルトを突出及び退避させる機能を提供できる。電子錠データ９３ｂは、例えば、電子錠９２の施錠解錠が許可された電子錠ＩＤを示すデータを含む。
【００７９】
制御部９５は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。制御部９５は、電子錠ユニット９０の動作を統括的に制御できる。制御部９５の各種機能は、制御部９５の制御に基づいて実現される。
【００８０】
具体的には、制御部９５は、記憶部９３に記憶されているプログラムに含まれる命令を実行できる。制御部９５は、記憶部９３に記憶されているデータを必要に応じて参照できる。制御部９５は、データ及び命令に応じて機能部を制御する。制御部９５は、機能部を制御することによって、各種機能を実現する。機能部は、例えば、通信部９１を含むが、これらに限定されない。
【００８１】
制御部９５は、制御プログラム９３ａを実行することによって、第１電子機器１または第２電子機器５０から電子錠ＩＤを受信した場合、電子錠ＩＤが電子錠データ９３ｂに登録されていると、電子錠の施錠解錠の指示を受け付ける。制御部９５は、第１電子機器１または第２電子機器５０の指示に応じて、電子錠９２を施錠解錠させる。制御部９５は、制御プログラム９３ａを実行することによって、第１電子機器１の電子マネーの残額を示す残額情報を管理サーバ８０から取得する。制御部９５は、取得した残額情報を第１電子機器１へ送信する。
【００８２】
本実施形態では、管理システム１００は、電子錠ユニット９０が第３電子機器の一例である場合について説明するが、これに限定されない。例えば、電子錠ユニット９０は、電子錠９２を有していなくてもよい。例えば、電子錠ユニット９０は、外部の電子錠と電気的に接続され、当該電子錠の施錠、解錠を制御する電子機器であってもよい。
【００８３】
図７は、第１電子機器１による制御の一例の処理手順を示すフローチャートである。図７に示す処理手順は、制御部１０が制御プログラム９Ａを実行することによって実現される。図７に示す処理手順は、制御部１０によって繰り返し実行される。
【００８４】
図７に示すように、第１電子機器１の制御部１０は、電子決済装置２００にかざされたか否かを判定する（ステップＳ１０１）。例えば、制御部１０は、通信部６を介して、電子決済装置２００と通信が確立した場合、電子決済装置２００から信号を受信した場合等に、電子決済装置２００にかざされたと判定する。制御部１０は、電子決済装置２００にかざされたと判定した場合（ステップＳ１０１でＹｅｓ）、処理をステップＳ１０２に進める。
【００８５】
制御部１０は、通信部６を介して識別情報Ｄ２を電子決済装置２００に送信する（ステップＳ１０２）。例えば、制御部１０は、設定データ９Ｃに設定されている識別情報Ｄ２を電子決済装置２００へ通信部６に送信させる。制御部１０は、識別情報を送信すると、処理をステップＳ１０３に進める。
【００８６】
制御部１０は、通信部６を介して残額情報Ｄ４を電子決済装置２００から受信する（ステップＳ１０３）。制御部１０は、受信した残額情報Ｄ４を記憶部９に記憶する（ステップＳ１０４）。制御部１０は、受信した残額情報Ｄ４を表示部２に表示する（ステップＳ１０５）。制御部１０は、残額情報Ｄ４を表示させると、処理をステップＳ１０６に進める。
【００８７】
制御部１０は、処理を終了するか否かを判定する（ステップＳ１０６）。例えば、制御部１０は、ユーザの終了操作を検出している場合に、処理を終了すると判定する。制御部１０は、処理を終了しないと判定した場合（ステップＳ１０６でＮｏ）、処理を既に説明したステップＳ１０１に戻す。制御部１０は、処理を終了すると判定した場合（ステップＳ１０６でＹｅｓ）、図７に示す処理手順を終了させる。
【００８８】
制御部１０は、電子決済装置２００にかざされていないと判定した場合（ステップＳ１０１でＮｏ）、処理をステップＳ１０７に進める。制御部１０は、電子錠ユニット９０にかざされたか否かを判定する（ステップＳ１０７）。例えば、制御部１０は、通信部６を介して、電子錠ユニット９０と通信が確立した場合、電子錠ユニット９０から信号を受信した場合等に、電子錠ユニット９０にかざされたと判定する。制御部１０は、電子錠ユニット９０にかざされていないと判定した場合（ステップＳ１０７でＮｏ）、処理を既に説明したステップＳ１０６に進める。制御部１０は、ステップＳ１０６以降の処理を実行する。
【００８９】
制御部１０は、電子錠ユニット９０にかざされたと判定した場合（ステップＳ１０７でＹｅｓ）、処理をステップＳ１０８に進める。制御部１０は、施錠または解錠を示す画像を表示部２に表示する（ステップＳ１０８）。例えば、制御部１０は、電子錠ユニット９０が施錠されている場合、解錠の操作を受け付けることを示す画像を表示部２に表示する。例えば、制御部１０は、電子錠ユニット９０が解錠されている場合、施錠の操作を受け付けることを示す画像を表示部２に表示する。
【００９０】
制御部１０は、当該画像を表示部２に表示すると、所定の操作を検出したか否かを判定する（ステップＳ１０９）。例えば、制御部１０は、操作部３を介して所定の操作を検出すると、所定の操作を検出したと判定する。制御部１０は、所定の操作を検出していないと判定した場合（ステップＳ１０９でＮｏ）、ステップＳ１０９の処理を繰り返す。制御部１０は、所定の操作を検出したと判定した場合（ステップＳ１０９でＹｅｓ）、処理をステップＳ１１０に進める。
【００９１】
制御部１０は、通信部６を介して施錠情報または解錠情報を電子錠ユニット９０に送信する（ステップＳ１１０）。例えば、制御部１０は、電子錠ユニット９０が施錠されている場合、解錠情報を電子錠ユニット９０に送信する。例えば、制御部１０は、電子錠ユニット９０が解錠されている場合、施錠情報を電子錠ユニット９０に送信する。制御部１０は、電子錠ユニット９０に対する送信が終了すると、処理を既に説明したステップＳ１０３に戻す。制御部１０は、ステップＳ１０３以降の処理を実行する。
【００９２】
図８は、第２電子機器５０による制御の一例の処理手順を示すフローチャートである。図８に示す処理手順は、制御部５１が制御プログラム９Ｆを実行することによって実現される。図８に示す処理手順は、制御部５１によって繰り返し実行される。
【００９３】
図８に示すように、第２電子機器５０の制御部５１は、通信部６Ａを介して、第１情報Ｄ３及び第２情報Ｄ６を受信したか否かを判定する（ステップＳ２０１）。制御部５１は、第１情報Ｄ３及び第２情報Ｄ６を受信したと判定した場合（ステップＳ２０１でＹｅｓ）、処理をステップＳ２０２に進める。
【００９４】
制御部５１は、第１情報Ｄ３及び第２情報Ｄ６に基づいて画面を作成する（ステップＳ２０２）。例えば、制御部５１は、第１情報Ｄ３及び第２情報Ｄ６を、時系列順に並べて表示する画面を作成する。制御部５１は、作成した画面を表示部２Ａに表示する（ステップＳ２０３）。制御部５１は、画面を表示部２Ａに表示すると、図８に示す処理手順を終了させる。
【００９５】
制御部５１は、第１情報Ｄ３及び第２情報Ｄ６を受信していないと判定した場合（ステップＳ２０１でＮｏ）、処理をステップＳ２０４に進める。制御部５１は、第１電子機器１の電子マネーをチャージするか否かを判定する（ステップＳ２０４）。例えば、制御部５１は、第１電子機器１の電子マネーのチャージに対応する操作を検出した場合に、電子マネーをチャージすると判定する。制御部５１は、第１電子機器１の電子マネーをチャージしないと判定した場合（ステップＳ２０４でＮｏ）、図８に示す処理手順を終了させる。
【００９６】
制御部５１は、第１電子機器１の電子マネーをチャージすると判定した場合（ステップＳ２０４でＹｅｓ）、処理をステップＳ２０５に進める。制御部５１は、入力された金額を示すチャージ情報Ｄ１を作成する。例えば、制御部５１は、チャージの金額を入力させる入力画面を表示部２に表示する。制御部５１は、操作部３を介して入力された金額を、第１電子機器１の電子マネーにチャージするためのチャージ情報Ｄ１を作成する。チャージ情報Ｄ１は、例えば、第１電子機器１の電子マネーの識別情報を含む。
【００９７】
制御部５１は、作成したチャージ情報Ｄ１を管理サーバ８０に送信する（ステップＳ２０６）。例えば、制御部５１は、通信部６Ａを介して、チャージ情報Ｄ１を管理サーバ８０に送信する。制御部５１は、チャージ情報Ｄ１を送信すると、図８に示す処理手順を終了させる。
【００９８】
図９は、管理サーバ８０による制御の一例の処理手順を示すフローチャートである。図９に示す処理手順は、制御部８５が制御プログラム９Ｆを実行することによって実現される。図８に示す処理手順は、制御部５１によって繰り返し実行される。
【００９９】
図９に示すように、管理サーバ８０の制御部８５は、通信部６Ａを介して、第２情報Ｄ６を受信したか否かを判定する（ステップＳ３０１）。例えば、制御部８５は、電子錠ユニット９０から第２情報Ｄ６を受信している場合に、第２情報Ｄ６を受信したと判定する。制御部８５は、第２情報Ｄ６を受信したと判定した場合（ステップＳ３０１でＹｅｓ）、処理をステップＳ３０２に進める。
【０１００】
制御部８５は、受信した第２情報Ｄ６に基づいて、第１電子機器１及び第２電子機器５０を特定する（ステップＳ３０２）。例えば、制御部８５は、第２情報Ｄ６が有する識別情報等に基づいて、第２情報Ｄ６に対応した第１電子機器１を特定する。
【０１０１】
制御部８５は、受信した第２情報Ｄ６を第１情報Ｄ３に紐付けて記憶部８４に記憶する（ステップＳ３０３）。例えば、制御部８５は、特定した第１電子機器１、当該第１電子機器１が使用する電子マネー等を用いて、第１情報Ｄ３と第２情報Ｄ６とを紐付ける。
【０１０２】
制御部８５は、第１情報Ｄ３及び第２情報Ｄ６を第２電子機器５０に送信する（ステップＳ３０４）。例えば、制御部８５は、第１電子機器１の連絡先として登録された第２電子機器５０に、通信部６Ａを介して、紐付けられた第１情報Ｄ３及び第２情報Ｄ６を送信する。制御部８５は、第１情報Ｄ３及び第２情報Ｄ６の送信が終了すると、図９に示す処理手順を終了させる。
【０１０３】
制御部８５は、第２情報Ｄ６を受信していないと判定した場合（ステップＳ３０１でＮｏ）、処理をステップＳ３０５に進める。制御部８５は、通信部６Ａを介して、第１情報Ｄ３を受信したか否かを判定する（ステップＳ３０５）。例えば、制御部８５は、電子決済装置２００から第１情報Ｄ３を受信している場合に、第１情報Ｄ３を受信したと判定する。制御部８５は、第１情報Ｄ３を受信していないと判定した場合（ステップＳ３０５でＮｏ）、図９に示す処理手順を終了させる。
【０１０４】
制御部８５は、第１情報Ｄ３を受信したと判定した場合（ステップＳ３０５でＹｅｓ）、処理をステップＳ３０６に進める。制御部８５は、受信した第１情報Ｄ３に基づいて、第１電子機器１を特定する（ステップＳ３０６）。例えば、制御部８５は、第１情報Ｄ３が有する識別情報等に基づいて、第２情報Ｄ６に対応した第１電子機器１を特定する。
【０１０５】
制御部８５は、受信した第１情報Ｄ３を第２情報Ｄ６に紐付けて記憶部８４に記憶する（ステップＳ３０７）。例えば、制御部８５は、第１情報Ｄ３が使用する電子マネー、電子マネーの識別情報等を用いて、第１情報Ｄ３と第２情報Ｄ６とを紐付ける。制御部８５は、第１情報Ｄ３を記憶部８４に記憶すると、図９に示す処理手順を終了させる。
【０１０６】
図１０及び図１１を参照しながら、実施形態に係る管理システム１００の他の一例について説明する。図１０は、実施形態に係る管理システム１００の他の一例を示す図である。図１１は、実施形態に係る管理システム１００の動作の他の一例を示す図である。図１０及び図１１に示す一例では、第１電子機器１は、第２電子機器５０によって１００円分の電子マネーがチャージされている。電子錠ユニット９０は、第１電子機器１及び第２電子機器５０を電子キーとして用いることが可能な構成となっている。
【０１０７】
図１１のステップＳ１１に示す一例では、第１電子機器１のユーザは、外出するときに、第１電子機器１を電子錠ユニット９０にかざす。第１電子機器１は、電子錠ユニット９０にかざされると、表示部２の残額の画像Ｐ１を、画像Ｐ２に変更する。画像Ｐ２は、例えば、電子錠の施錠を示す画像を含む。画像Ｐ２は、第１画像の一例である。
【０１０８】
第１電子機器１のユーザは、表示部２に表示された施錠の画像Ｐ２を参照すると、所定の操作を行う。第１電子機器１は、所定の操作の検出に応じて、電子錠ＩＤを含む施錠情報を電子錠ユニット９０に送信する。電子錠ユニット９０は、受信した施錠情報の電子錠ＩＤと予め記憶している電子錠ＩＤとが一致すると、施錠動作を行う。電子錠ユニット９０は、第１電子機器１によって施錠されたことを示す第２情報Ｄ６を管理サーバ８０に送信する。第２情報Ｄ６は、第１電子機器１が電子錠の施錠を行った第１時刻を示す情報を含む。第２情報Ｄ６は、例えば、第１電子機器１及び第１電子機器１が使用する電子マネーを識別可能な情報を含む。
【０１０９】
図１１のステップＳ１２に示す一例では、第１電子機器１のユーザは、店舗において、５０円の商品の支払いを第１電子機器１で行っている。第１電子機器１は、電子決済装置２００にかざされると、識別情報Ｄ２を電子決済装置２００に送信する。電子決済装置２００は、当該識別情報Ｄ２に基づいて、第１電子機器１の電子マネーの残額を第１電子機器１または管理サーバ８０から取得する。電子決済装置２００は、第１電子機器１の電子マネーの残額から商品の購入額を減算する。電子決済装置２００は、第１電子機器１による購入額と電子マネーの残額とを含む第１情報Ｄ３を管理サーバ８０に送信する。管理サーバ８０は、受信した第１情報Ｄ３及び第２情報Ｄ６を紐付けて記憶部８４に記憶する。電子決済装置２００は、電子マネーの残額（５０円）を示す残額情報Ｄ４を第１電子機器１に送信する。第１電子機器１は、電子決済装置２００から受信した残額情報Ｄ４を示す画像Ｐ１を表示部２に表示する。
【０１１０】
図１１のステップＳ１３に示す一例では、第１電子機器１のユーザは、他の店舗において、４０円の商品の支払いを第１電子機器１で行っている。電子決済装置２００にかざされると、第１電子機器１は、識別情報Ｄ２を電子決済装置２００に送信する。電子決済装置２００は、当該識別情報Ｄ２に基づいて、第１電子機器１の電子マネーの残額を第１電子機器１または管理サーバ８０から取得する。電子決済装置２００は、第１電子機器１の電子マネーの残額から商品の購入額を減算する。電子決済装置２００は、第１電子機器１による購入額と電子マネーの残額とを含む第１情報Ｄ３を管理サーバ８０に送信する。管理サーバ８０は、受信した新たな第２情報Ｄ６を第１情報Ｄ３及び第２情報Ｄ６に紐付けて記憶部８４に記憶する。管理サーバ８０は、複数の第１情報Ｄ３を時系列順に記憶する。電子決済装置２００は、電子マネーの残額（１０円）を示す残額情報Ｄ４を第１電子機器１に送信する。第１電子機器１は、電子決済装置２００から受信した残額情報Ｄ４を示す画像Ｐ１を表示部２に表示する。
【０１１１】
図１１のステップＳ１４に示す一例では、第１電子機器１のユーザは、買い物が終了して帰宅すると、第１電子機器１を電子錠ユニット９０にかざす。第１電子機器１は、電子錠ユニット９０にかざされると、表示部２の残額の画像Ｐ１を、画像Ｐ２に変更する。画像Ｐ２は、例えば、電子錠の解錠を示す画像である。画像Ｐ２は、第１画像の一例である。
【０１１２】
第１電子機器１のユーザは、表示部２に表示された画像Ｐ２を参照すると、所定の操作を行う。第１電子機器１は、所定の操作の検出に応じて、電子錠ＩＤを含む解錠情報Ｄ５を電子錠ユニット９０に送信する。電子錠ユニット９０は、受信した解錠情報の電子錠ＩＤと予め記憶している電子錠ＩＤとが一致すると、解錠動作を行う。電子錠ユニット９０は、第１電子機器１によって解錠されたことを示す第２情報Ｄ６を管理サーバ８０に送信する。第２情報Ｄ６は、第１電子機器１が電子錠の解錠を行った第２時刻を示す情報を含む。第２情報Ｄ６は、例えば、第１電子機器１及び第１電子機器１が使用する電子マネーを識別可能な情報を含む。
【０１１３】
管理サーバ８０は、受信した新たな第２情報Ｄ６を、第１電子機器１に対応する第１情報Ｄ３及び第２情報Ｄ６と紐付けて、時系列順に記憶する。管理サーバ８０は、電子錠ユニット９０から解錠を示す第２情報Ｄ６を受信すると、第１電子機器１によって電子錠９２の施錠が行われた第１時刻と、第１時刻の後に第１電子機器１によって解錠が行われた第２時刻との間の第１情報Ｄ３を決済履歴とする。管理サーバ８０は、当該決済履歴を含む第３情報Ｄ７と第２情報Ｄ６を、第１電子機器１に紐付けられた第２電子機器５０に送信する。本実施形態では、管理サーバ８０は、複数の第１情報Ｄ３を含む第３情報Ｄ７を第２電子機器５０に送信する。
【０１１４】
図１１のステップＳ１５に示す一例では、第２電子機器５０は、受信した第２情報Ｄ６及び第３情報Ｄ７を、時系列順に表示する画面Ｇ１を表示部２Ａに表示する。画面Ｇ１は、第３情報Ｄ７に基づくメッセージＧ２１，Ｇ２２と、第２情報Ｄ６に基づくメッセージＧ２０，Ｇ２３とを含む。メッセージＧ２１，Ｇ２２のそれぞれは、第３情報Ｄ７が含む２つの第１情報Ｄ３のそれぞれを示している。メッセージＧ２１，Ｇ２２は、例えば、第１電子機器１によって買い物がされたことを示す情報と、電子マネーの残額を示す情報とを含む。メッセージＧ２１，Ｇ２２は、例えば、第１電子機器１によって買い物が行われた店舗を示す情報を更に含んでもよい。メッセージＧ２０は、例えば、電子錠９２が施錠されたことを示す情報を含む。メッセージＧ２３は、例えば、電子錠９２が解錠されたことを示す情報を含む。
【０１１５】
管理システム１００は、第１電子機器１による電子錠９２の施錠が行われた第１時刻と、第１時刻の後に第１電子機器１による解錠が行われた第２時刻との間の決済履歴を含む第３情報Ｄ７を第２電子機器５０が取得することができる。その結果、管理システム１００は、第１電子機器１による決済履歴及び施錠解錠を第２電子機器５０のユーザに確認させることができるので、第１電子機器１を所持するユーザの行動管理を改善することができる。
【０１１６】
管理システム１００は、第２電子機器５０が受信した第３情報Ｄ７及び第２情報Ｄ６を時系列順に並べて表示する。その結果、管理システム１００は、第１電子機器１を所持するユーザが電子錠９２を施錠してから解錠するまでに使用した電子マネーの金額を、第２電子機器５０のユーザに容易に把握させることができる。
【０１１７】
第１電子機器１の制御部１０による制御については、図８に示す処理手順を用いることができるため、説明は省略する。
【０１１８】
図１２は、第２電子機器５０による制御の一例の処理手順を示すフローチャートである。図１２に示す処理手順は、制御部５１が制御プログラム９Ｆを実行することによって実現される。図１２に示す処理手順は、制御部５１によって繰り返し実行される。
【０１１９】
図１２に示す一例では、ステップＳ２０３からステップＳ２０６の処理は、既に説明した図８に示すステップＳ２０３からステップＳ２０６の処理と同一であるため、異なる部分のみを説明し、同一部分の説明は省略する。
【０１２０】
図１２に示すように、第２電子機器５０の制御部５１は、通信部６Ａを介して、第３情報Ｄ７及び第２情報Ｄ６を受信したか否かを判定する（ステップＳ２１１）。制御部５１は、第３情報Ｄ７及び第２情報Ｄ６を受信したと判定した場合（ステップＳ２１１でＹｅｓ）、処理をステップＳ２１２に進める。
【０１２１】
制御部５１は、第３情報Ｄ７及び第２情報Ｄ６に基づいて、施錠から解錠までの画面を作成する（ステップＳ２１２）。例えば、制御部５１は、第３情報Ｄ７に含まれる複数の第１情報Ｄ３を、時系列順に表示する画面を作成する。例えば、制御部５１は、複数の第１情報Ｄ３が発生した時刻を含む画面を作成する。制御部５１は、作成した画面を表示部２Ａに表示する（ステップＳ２０３）。制御部５１は、画面を表示部２Ａに表示すると、図１２に示す処理手順を終了させる。
【０１２２】
制御部５１は、第３情報Ｄ７及び第２情報Ｄ６を受信していないと判定した場合（ステップＳ２１１でＮｏ）、処理を既に説明したステップＳ２０４に進める。制御部５１は、ステップＳ２０４以降の処理手順を実行し、図１２に示す処理手順を終了させる。
【０１２３】
図１３は、管理サーバ８０による制御の一例の処理手順を示すフローチャートである。図１３に示す処理手順は、制御部５１が制御プログラム９Ｆを実行することによって実現される。図１３に示す処理手順は、制御部５１によって繰り返し実行される。
【０１２４】
図１３に示す例では、ステップＳ３０５からステップＳ３０７の処理は、既に説明した図９に示すステップＳ３０５からステップＳ３０７の処理と同一であるため、異なる部分のみを説明し、同一部分の説明は省略する。
【０１２５】
図１３に示すように、管理サーバ８０の制御部８５は、通信部６Ａを介して、第２情報Ｄ６を受信したか否かを判定する（ステップＳ３０１）。制御部８５は、第２情報Ｄ６を受信していないと判定した場合（ステップＳ３０１でＮｏ）、既に説明したステップＳ３０５からステップＳ３０７の処理を実行する。制御部８５は、第２情報Ｄ６を受信したと判定した場合（ステップＳ３０１でＹｅｓ）、処理をステップＳ３１１に進める。
【０１２６】
制御部８５は、第２情報Ｄ６が解錠であるか否かを判定する（ステップＳ３１１）。例えば、制御部８５は、第２情報Ｄ６が電子錠９２の解錠に応じて電子錠ユニット９０から受信している場合、第２情報Ｄ６が解錠であると判定する。制御部８５は、第２情報Ｄ６が解錠ではないと判定した場合（ステップＳ３１１でＮｏ）、第２情報Ｄ６が施錠であるので、処理をステップＳ３１２に進める。制御部８５は、受信した第２情報Ｄ６を第１電子機器１に紐付けて記憶部８４に記憶する（ステップＳ３１２）。制御部８５は、第２情報Ｄ６を記憶すると、図１３に示す処理手順を終了させる。
【０１２７】
制御部８５は、第２情報Ｄ６が解錠であると判定した場合（ステップＳ３１１でＹｅｓ）、処理をステップＳ３１３に進める。制御部８５は、受信した第２情報Ｄ６に基づいて、第１電子機器１及び第２電子機器５０を特定する（ステップＳ３１３）。例えば、制御部８５は、第２情報Ｄ６が有する識別情報等に基づいて、第２情報Ｄ６に対応した第１電子機器１を特定する。
【０１２８】
制御部８５は、受信した第２情報Ｄ６を第１情報Ｄ３に紐付けて記憶部８４に記憶する（ステップＳ３１４）。例えば、制御部８５は、特定した第１電子機器１、当該第１電子機器１が使用する電子マネー等を用いて、第１情報Ｄ３と第２情報Ｄ６とを紐付ける。
【０１２９】
制御部８５は、電子錠９２の施錠から解錠までの間の第３情報Ｄ７と第２情報Ｄ６とを第２電子機器５０に送信する（ステップＳ３１５）。例えば、制御部８５は、施錠の第２情報Ｄ６と解錠の第２情報Ｄ６との間に受信した第１情報Ｄ３を第３情報Ｄ７とする。制御部８５は、第１電子機器１の連絡先として登録された第２電子機器５０に、通信部６Ａを介して第３情報Ｄ７及び第２情報Ｄ６を送信する。制御部８５は、第３情報Ｄ７及び第２情報Ｄ６の送信が終了すると、図１３に示す処理手順を終了させる。
【０１３０】
本実施形態では、管理システム１００は、第２電子機器５０が電子錠９２の施錠から解錠までの電子マネーの残額の履歴を表示する場合について説明したが、これに限定されない。例えば、第２電子機器５０は、電子錠９２の施錠と解錠との間に消費した電子マネーの合計を算出し、当該算出結果を表示してもよい。
【０１３１】
図１４は、実施形態に係る管理システム１００の他の一例を示す図である。図１４に示すように、管理システム１００は、第１電子機器１と、第２電子機器５０と、管理サーバ８０と、電子錠ユニット９０とを有する。第２電子機器５０と管理サーバ８０と電子錠ユニット９０とは、通信ネットワーク７０を介して相互に通信できる。第２電子機器５０と管理サーバ８０と電子錠ユニット９０とは、通信ネットワーク７０を介して、電子錠ユニット９０により施錠される領域内にある第４電子機器６０と相互に通信できる。第４電子機器６０は、例えば、照明器具、テレビジョン受信機、空気調和機等の住居で用いられる電子機器を含む。
【０１３２】
図１４に示す一例では、電子錠ユニット９０は、第１電子機器１から受信した施錠情報Ｄ８の電子錠ＩＤと予め記憶している電子錠ＩＤとが一致すると、施錠動作を行う。電子錠ユニット９０は、施錠動作が終了すると、通信ネットワーク７０を介して、第４電子機器６０の電源状態を示す第４情報Ｄ９を収集する。第４情報Ｄ９は、例えば、第４電子機器６０を識別する情報と、第４電子機器６０が電源オフであるか否かを示す情報とを含む。電子錠ユニット９０は、第１電子機器１によって施錠されたことを示す第２情報Ｄ６と、収集した第４情報Ｄ９とを管理サーバ８０に送信する。
【０１３３】
管理サーバ８０は、受信した第２情報Ｄ６及び第４情報Ｄ９を第１電子機器１に紐付けて記憶部８４に記憶する。管理サーバ８０は、第４情報Ｄ９に基づいて、電子錠９２により施錠される領域にある第４電子機器６０が第１条件を満たすか否かを判定する。第１条件は、例えば、施錠が行われたとき、予め定められた第４電子機器６０の電源がオフになっていること等の条件を含む。例えば、管理サーバ８０は、電子錠９２により施錠される領域にある全ての第４電子機器６０が電源オフになっている場合に、第１条件を満たすと判定する。管理サーバ８０は、第１条件を満たすと判定した場合、第１電子機器１が使用する電子マネーの残額を、増減テーブル等に基づいて増加させる。管理サーバ８０は、第１条件を満たしていないと判定した場合、第１電子機器１が使用する電子マネーの残額を増減テーブル等に基づいて減少させる。管理サーバ８０は、第１電子機器１が使用する電子マネーの残額を減少させた場合、減少させた金額分を第２電子機器５０の電子マネーにチャージする。管理サーバ８０は、第１電子機器１の電子マネーを増減させると、増減後の電子マネーの残額を示す残額情報Ｄ４を電子錠ユニット９０に送信する。増減テーブル等は、例えば、第２電子機器５０により、適宜設定されてもよい。
【０１３４】
電子錠ユニット９０は、管理サーバ８０から受信した残額情報Ｄ４を記憶部９３に記憶する。電子錠ユニット９０は、第１電子機器１から電子錠ＩＤを含む解錠情報を受信すると、電子錠ＩＤが登録されている場合に解錠動作を行う。このとき、電子錠ユニット９０は、管理サーバ８０から受信した残額情報Ｄ４を第１電子機器１に送信する。第１電子機器１は、電子錠ユニット９０から受信した残額情報Ｄ４を表示部２に表示する。その結果、第１電子機器１は、電子錠ユニット９０と通信したときに、電子マネーが増減したことをユーザに認識させることができる。例えば、ユーザが出かけるときに第４電子機器６０を電源オフしていない場合、第１電子機器１は、減少した電子マネーの残額をユーザに把握させることができる。例えば、ユーザが出かけるときに第４電子機器６０を電源オフしていた場合、第１電子機器１は、増加した電子マネーの残額をユーザに把握させることができる。管理システム１００は、第１電子機器１のユーザに対する日常生活の指導に貢献できる。
【０１３５】
図１４に示す一例では、管理システム１００は、電子錠ユニット９０が第４電子機器６０の電源状態を示す第４情報Ｄ９を収集する場合について説明したが、これに限定されない。例えば、管理システム１００は、電子錠ユニット９０から第２情報Ｄ６を受信したときに、管理サーバ８０が第４電子機器６０の電源状態を示す第４情報Ｄ９を収集してもよい。例えば、管理システム１００は、電子錠の施錠に応じて、第４電子機器６０の使用時間を示す第４情報Ｄ９を収集してもよい。
【０１３６】
本実施形態では、管理システム１００は、電子錠９２の施錠時における第４電子機器６０の電源状態に基づいて、電子マネーを増減させる場合について説明したが、これに限定されない。例えば、管理システム１００は、第４電子機器６０をゲーム機、テレビジョン受信機、スマートフォン等とすることができる。その場合、管理システム１００は、管理サーバ８０が第１電子機器１のユーザが第４電子機器６０を使用した時間を監視し、当該使用時間に応じた金額を第１電子機器１の電子マネーから差し引いてもよい。例えば、管理サーバ８０は、第１電子機器１のユーザが第４電子機器６０を１時間使用した場合、当該１時間分の金額を第１電子機器１の電子マネーから差し引き、第２電子機器５０の電子マネーにチャージするようにしてもよい。管理サーバ８０は、電子錠９２の施錠時、解錠時のタイミングで、第４電子機器６０の使用時間に応じた金額を第１電子機器１の電子マネーから差し引いてもよい。
【０１３７】
図１５は、実施形態に係る管理システム１００の他の一例を示す図である。図１５に示す一例では、第１電子機器１のユーザが第１電子機器１を紛失した場合を示している。この場合、第１電子機器１のユーザの保護者が第２電子機器５０を用いて、第１電子機器１を無効化することができる。
【０１３８】
第２電子機器５０は、操作部３を介して第２操作を検出すると、第１電子機器１の無効化を要求する第５情報Ｄ１０を管理サーバ８０に送信する。管理サーバ８０は、第２電子機器５０から第５情報Ｄ１０を受信すると、第１電子機器１の決済機能及び施解錠機能を無効化する。
【０１３９】
例えば、管理サーバ８０は、第１電子機器１の電子錠ＩＤによる施錠解錠の無効化を要求する第６情報Ｄ１１を電子錠ユニット９０に送信する。電子錠ユニット９０は、第１電子機器１の電子錠ＩＤを含む解錠情報Ｄ５を受信した場合、電子錠９２の解錠を行わない。その結果、第１電子機器１は、施解錠機能が実行不能になる。例えば、電子錠ユニット９０は、紛失時のメッセージを第１電子機器１に表示させてもよい。紛失時のメッセージは、例えば、「交番に届けてください」等のメッセージを含む。
【０１４０】
例えば、管理サーバ８０は、電子決済装置２００から識別情報Ｄ２の照合を受けた場合に、決済機能の利用不可を示す第７情報Ｄ１２を電子決済装置２００に送信する。電子決済装置２００は、第１電子機器１による決済を拒否する。例えば、電子決済装置２００は、第７情報Ｄ１２を第１電子機器１に送信してもよい。第１電子機器１は、第７情報Ｄ１２を受信すると、決済機能及び施解錠機能の実行を不可としてもよい。
【０１４１】
本実施形態の管理システム１００は、第１電子機器１を図１６から図１８に示す第１電子機器１０１に置き換えることができる。図１６は、第１電子機器１の他の一例を示す正面図である。図１７及び図１８は、第１電子機器１の他の一例を示す側面図である。
【０１４２】
例えば、管理システム１００は、第１電子機器１０１と、第２電子機器５０と、管理サーバ８０とを有する。
【０１４３】
図１６から図１８に示すように、第１電子機器１０１は、ＩＣカード１２０が取り付けられるカード状のハウジング１０２を有する。本実施形態では、第１電子機器１０１は、例えば、ハウジング１０２内の収容部に収容することで、ＩＣカード１２０が取り付けられる。ＩＣカード１２０は、例えば、非接触型のカードを含む。ＩＣカード１２０は、電子マネーがチャージされる。ＩＣカード１２０は、電子マネーによる決済に用いられる。
【０１４４】
ハウジング１０２は、フロントフェイス１０３と、バックフェイス１０４と、サイドフェイス１１１，１１２，１１３，１１４とを有する。フロントフェイス１０３は、ハウジング１０２の正面である。バックフェイス１０４は、ハウジング１０２の背面である。サイドフェイス１１１，１１２，１１３，１１４は、フロントフェイス１０３とバックフェイス１０４とを接続する側面である。
【０１４５】
フロントフェイス１０３は、図１６に示すように、窓部１０５を有する。窓部１０５は、ハウジング１０２の内部に収容しているＩＣカード１２０の視認を可能にする。サイドフェイス１１２は、図１７に示すように、表示部２を有する。表示部２は、ＩＣカード１２０の残額を表示できる。サイドフェイス１１４は、図１８に示すように、挿入口１１５を有する。挿入口１１５は、ＩＣカード１２０をハウジング１０２の内部に挿入するスロットを含む。
【０１４６】
第１電子機器１０１は、図３に示した第１電子機器１と同様に、表示部２と、操作部３と、通信部６と、記憶部９と、制御部１０と、スピーカ１１とを有する。
【０１４７】
通信部６は、ＩＣカード１２０との非接触通信により、ＩＣカード１２０の記憶媒体に記憶されている電子マネーの残額を読み取る。
【０１４８】
記憶部９の制御プログラム９Ａは、施解錠機能と、読取機能とを提供できる。施解錠機能は、例えば、電子錠９２の施錠解錠を行う機能を含む。読取機能は、例えば、電子マネーをチャージするＩＣカード１２０が取り付けられたとき、当該ＩＣカード１２０にチャージされた電子マネーの残額を読み取る機能を含む。
【０１４９】
制御部１０は、制御プログラム９Ａを実行することによって、通信部６を介して、ＩＣカード１２０にチャージされた電子マネーの残額を読み取る。制御部１０は、通信部６を介して、ＩＣカード１２０と通信可能である場合、ＩＣカード１２０が取り付けられたと判断する。制御部１０は、読み取った電子マネーの残額を表示部２に表示させる。例えば、制御部１０は、読み取った電子マネーの残額を、第２電子機器５０、電子錠ユニット９０等に送信してもよい。
【０１５０】
第２電子機器５０は、図４に示した表示部２Ａと、操作部３と、通信部６Ａと、レシーバ７と、マイク８と、記憶部９と、制御部５１と、スピーカ１１と、振動部１５と、ランプ１６とを有する。
【０１５１】
記憶部９の制御プログラム９Ｆは、第１電子機器１０１が行った電子マネーによる決済に関する第１情報Ｄ３と、第１電子機器１０１が行った電子錠９２の施錠解錠に関する第２情報Ｄ６と、を取得する機能を提供できる。
【０１５２】
制御部５１は、制御プログラム９Ｆを実行することによって、第１電子機器１に関する第１情報Ｄ３及び第２情報Ｄ６を取得できる。例えば、制御部５１は、既に説明したように、管理サーバ８０から第１情報Ｄ３及び第２情報Ｄ６を取得できる。制御部５１は、制御プログラム９Ｆを実行することによって、取得した情報を時系列順に並べて表示部２に表示できる。
【０１５３】
第１電子機器１０１が読み取った電子マネーの残額の変化は、電子マネーによる決済による変化を意味する。第１電子機器１は、電子マネーの残額の変化を決済に関する第１情報Ｄ３として、第２電子機器５０、管理サーバ８０、電子錠ユニット９０等に提供してもよい。
【０１５４】
上記の実施形態では、管理システム１００は、第２電子機器５０が管理サーバ８０から第１情報Ｄ３及び第２情報Ｄ６を取得する場合について説明したが、これに限定されない。例えば、管理システム１００は、第２電子機器５０が第１電子機器１または電子錠ユニット９０から第１情報Ｄ３及び第２情報Ｄ６を取得してもよい。
【０１５５】
上記の実施形態の管理システム１００は、例えば、第１電子機器１が管理サーバ８０に位置情報および当該位置情報を取得した時刻を送信してもよい。このとき、第２電子機器５０は、当該位置情報および当該時刻を更に取得してもよい。例えば、第２電子機器５０は、ある時刻に、第１電子機器１のユーザが、所定の領域（例えば学校）を出発したことを表示してもよい。例えば、第２電子機器５０は、ある時刻に、第１電子機器１のユーザが、交差点を通過したことを表示してもよい。例えば、第２電子機器５０は、第１情報Ｄ３、第２情報Ｄ６及び第１電子機器１の位置情報を時系列順に表示してもよい。
【０１５６】
上記の実施形態では、管理システム１００は、第１電子機器１を用いて施錠または解錠が行われたとき、第２電子機器５０が第１情報Ｄ３および第２情報Ｄ６を取得する場合について説明したが、これに限定されない。例えば、管理システム１００は、第１電子機器１を用いて決済が行われたとき、第２電子機器５０が第１情報Ｄ３および第２情報Ｄ６を取得してもよい。
【０１５７】
上記の実施形態では、管理システム１００は、第１電子機器１を電子錠ユニット９０や電子決済装置２００にかざす構成について説明したが、これに限定されない。管理システム１００は、第１電子機器１を電子錠ユニット９０や電子決済装置２００に接近させる構成としてもよい。接近は、例えば、第１電子機器１と電子錠ユニット９０または電子決済装置２００との距離が数メートルの距離に近づいた場合を含む。
【０１５８】
上記の実施形態では、第２電子機器５０は、チャージ情報Ｄ１を管理サーバ８０に送信する構成について説明した。当該処理において、管理サーバ８０は、チャージ情報Ｄ１をすぐに電子マネーの残額として反映させなくともよい。例えば、第１電子機器１が電子錠ユニット９０または電子決済装置２００に近づき、第１電子機器１が残額を更新可能になったとき、管理サーバ８０は、チャージ情報Ｄ１を反映してもよい。
【０１５９】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１６０】
１  第１電子機器
２  表示部
２Ａ  表示部
３  操作部
６  通信部
６Ａ  通信部
９  記憶部
９Ａ  制御プログラム
９Ｂ  残額データ
９Ｃ  設定データ
９Ｆ  制御プログラム
９Ｇ  決済アプリケーション
９Ｈ  設定データ
１０  制御部
１１  スピーカ
１５  振動部
１６  ランプ
５０  第２電子機器
５１  制御部
８０  管理サーバ
８４  記憶部
８４ａ  制御プログラム
８４ｂ  設定データ
８５  制御部
９０  電子錠ユニット
９１  通信部
９２  電子錠
９３  記憶部
１００  管理システム
１０１  第１電子機器
２００  電子決済装置
Ｄ３  第１情報
Ｄ６  第２情報
Ｄ７  第３情報
【図１】
2019128835.tif 000003
【図２】
2019128835.tif 000004
【図３】
2019128835.tif 000005
【図４】
2019128835.tif 000006
【図５】
2019128835.tif 000007
【図６】
2019128835.tif 000008
【図７】
2019128835.tif 000009
【図８】
2019128835.tif 000010
【図９】
2019128835.tif 000011
【図１０】
2019128835.tif 000012
【図１１】
2019128835.tif 000013
【図１２】
2019128835.tif 000014
【図１３】
2019128835.tif 000015
【図１４】
2019128835.tif 000016
【図１５】
2019128835.tif 000017
【図１６】
2019128835.tif 000018
【図１７】
2019128835.tif 000019
【図１８】
2019128835.tif 000020